(57)【要約】【課題】長尺工具用収納袋において吊り上げの際長尺工具が落下する危険性がなく、しかも間接活線作業中においても長尺工具が落下することがないようにする。【解決手段】長尺工具用収納袋２０は、電柱等の高所で間接活線作業を行う際、当該間接活線作業で用いられる長尺工具を収納するために用いられ、一端面側が開口面として開口された収納袋部１１と、開口面側に配設され収納袋部を吊下げるための吊下げベルト１３と、開口面側に配設され電柱に長尺工具を吊り上げる際収納袋部に収納された長尺工具を束ね、高所で間接活線作業を行う際電柱に収納袋部を拘束する留め具部材２２とを有する。【選択図】図１
2008073804.tif 000002
【特許請求の範囲】
【請求項１】
構造物の高所で間接活線作業を行う際、当該間接活線作業で用いられる長尺工具を収納するための長尺工具用収納袋であって、
一端面側が開口面として開口された収納袋部と、
前記開口面側に配設され前記収納袋部を吊下げるための吊下げベルトと、
前記開口面側に配設され、前記構造物に前記長尺工具を吊り上げる際前記収納袋部に収納された前記長尺工具を束ね、前記高所で前記間接活線作業を行う際前記構造物に前記収納袋部を拘束する留め具部材とを有することを特徴とする長尺工具用収納袋。
【請求項２】
前記留め具部材は、前記開口面側の外周面に取り付けられ前記開口面よりも外方に延在する延在部分を備える取付片体と、該延在部分に装着され該延在部分に対して交差する方向に延びる帯状のテープ体とを有し、
前記テープ体はその両面ともにフック面及びループ面が形成された第１の面ファスナー体であることを特徴とする請求項１記載の長尺工具用収納袋。
【請求項３】
前記長尺工具を吊り上げる際、前記第１の面ファスナー体が前記収納袋部に収納された長尺工具に巻回されて前記第１の面ファスナー体の端部同士が貼り合わされて前記長尺工具が束ねられ、
前記間接活線作業を行う際、前記第１の面ファスナー体が前記構造物に巻回されて前記第１の面ファスナー体の端部同士が貼り合わされて前記収納袋部が前記構造物に拘束されるようにしたことを特徴とする請求項２記載の長尺工具用収納袋。
【請求項４】
前記収納袋部の開口面側の外周面に沿って第２の面ファスナー体が配設され、該第２の面ファスナー体の表面にはフック面及びループ面が形成されており、
前記第１の面ファスナー体を使用しない際には、前記延在部分が前記収納袋部の外周面側に折り畳まれて前記第１の面ファスナー体が前記第２の面ファスナー体と貼り合わされることを特徴とする請求項３記載の長尺工具用収納袋。
【請求項５】
前記収納袋部の前記開口面側には係止部材が設けられ、
前記留め具部材は、その両面ともにフック面及びループ面が形成された帯状のテープ体と、該テープ体に設けられ前記係止部材と着脱可能に係合する係合部とを有することを特徴とする請求項１記載の長尺工具用収納袋。
【発明の詳細な説明】
【技術分野】
【０００１】
本発明は、電柱間に架設される送配電線等を活線の状態で工事をする際に用いられる所謂ホットスティック等の長尺工具を収納するための長尺工具用収納袋に関するものである。
【背景技術】
【０００２】
一般に、構造物等の高所、例えば、電柱間に架設される配送電線等を活線状態で工事する間接活線工法においては、ホットスティック及びクリッパ等の長尺工具が使用される。これら長尺工具は収納袋に収納されて、電柱の上部まで吊り上げられ、作業中においては、収納袋は、例えば、足場ボルトに吊るされた状態とされる。そして、作業者は収納袋からホットスティック等の長尺工具を出し入れしつつ間接活線工事を行う。
【０００３】
ここで、図９及び図１０を参照して従来の収納袋について説明する。収納袋１０は、例えば、帆布等の材料で作成されており、ホットスティック１２等の長尺工具が収納されるバッグ状の収納袋部１１を備えており、この収納袋部１１の一面側（図９に示す例では上面側）は、開口面として開口されている。そして、この収納袋部１１には吊下げベルト１３が装着されている。
【０００４】
図示の例では、吊下げベルト１３は収納袋部１１の開口面の縁辺の一辺に所定の間隔をおいてその端部が取り付けられ、ループ状とされる。具体的には、収納袋部１１の開口面の縁辺の一辺に一対のループ状の取付金具が装着され、これら取付金具に、吊下げベルト１３の端部に設けられた装着金具で吊下げベルト１３を固定する。
【０００５】
間接活線工事を行う際には、図９に示すように、予め吊下げベルト１３にロープ１４等を接続しておき、収納袋部１１にホットスティック１２を収納して、作業員が電柱（図９には示さず）に登った後、ロープ１４によって収納袋１０を引き上げる。
【０００６】
作業員は電柱１５に収納袋１０を引き上げると、ロープ１４を吊下げベルト１３からはずした後、図１０に示すように、足場ボルト１６に吊下げベルト１３を引っ掛けて収納袋１０を足場ボルト１６に吊るす。そして、作業者は収納袋１０からホットスティック１２を出し入れしつつ、間接活線工事を行う。
【０００７】
なお、図１１に示すように、収納袋１０は有底の円筒形状の収納袋部１７を備えることもある。この場合には、収納袋部１７の開口円周縁に前述の吊下げベルト１３が装着されることになる。図示の例では、長尺工具としてクリッパ１８が収納袋部１７に収納されている。
【０００８】
一方、ホットスティック等の長尺工具の出し入れを容易にするとともに安全な間接活線作業を行うため、背板部の前面に一組の縦長シート部を設けて、各縦長シート部を前端縁で係脱自在に止着し、各縦長シート部の前端縁を開けることによって前側から長尺工具を出し入れできるようにした収納袋が知られている（例えば、特許文献１参照）。
【特許文献１】特開２０００−１０３４８５号公報
【発明の開示】
【発明が解決しようとする課題】
【０００９】
ところで、従来の収納袋においては、ホットスティック等の長尺工具を収納袋部に収納した際、長尺工具の一部分が収納袋部からはみ出すことがあり、たとえ、長尺工具の一部分が収納袋部からはみ出さなくても、収納袋を吊り上げた際、長尺工具が偏ると、収納袋が傾いてしまう。
【００１０】
例えば、図９に示すように、吊り上げの際にホットスティック１２が偏って収納袋部１１に太線矢印で示す力が作用し、収納袋１０が傾くと、ホットスティック１２が落下する危険性がある。ホットスティック１２は数本（少なくとも５〜６本）に折り畳まれて収納袋部１１に収納されることになるが、その重さは数キログラム程度であり、吊り上げの際、もしもホットスティック１２が落下すると重大な事故となってしまう。
【００１１】
さらに、収納袋１０を足場ボルト１６に引っ掛けた際においても、作業中のホットスティック１２の出し入れ等に起因して、収納袋部１１に、図１０に太線矢印で示す方向の力が作用することが多く、この結果、収納袋部１１が傾いてホットスティック１２が落下することがある。そして、作業中においては、収納袋１０が高所に吊下げられていることを考慮すると、さらに重大な事故となる危険性がある。
【００１２】
なお、図１１に示す例においても、例えば、吊り上げの際、太線矢印で示す方向に力が作用して、収納袋部１７が傾いてクリッパ１８が落下する危険性がある。
【００１３】
従って、本発明の目的は、吊り上げの際長尺工具が落下する危険性がなく、しかも間接活線作業中においても長尺工具が落下することのない収納袋を提供することにある。
【課題を解決するための手段】
【００１４】
本発明による長尺工具用収納袋は、構造物の高所で間接活線作業を行う際、当該間接活線作業で用いられる長尺工具を収納するために用いられ、一端面側が開口面として開口された収納袋部と、前記開口面側に配設され前記収納袋部を吊下げるための吊下げベルトと、前記開口面側に配設され、前記構造物に前記長尺工具を吊り上げる際前記収納袋部に収納された前記長尺工具を束ね、前記高所で前記間接活線作業を行う際前記構造物に前記収納袋部を拘束する留め具部材とを有することを特徴とするものである。
【００１５】
本発明の長尺工具用収納袋においては、例えば、前記留め具部材は、前記開口面側の外周面に取り付けられ前記開口面よりも外方に延在する延在部分を備える取付片体と、該延在部分に装着され該延在部分に対して交差する方向に延びる帯状のテープ体とを有し、前記テープ体はその両面ともにフック面及びループ面が形成された第１の面ファスナー体であることを特徴とするものである。
【００１６】
本発明の長尺工具用収納袋は、前記長尺工具を吊り上げる際、前記第１の面ファスナー体が前記収納袋部に収納された長尺工具に巻回されて前記第１の面ファスナー体の端部同士が貼り合わされて前記長尺工具が束ねられ、前記間接活線作業を行う際、前記第１の面ファスナー体が前記構造物に巻回されて前記第１の面ファスナー体の端部同士が貼り合わされて前記収納袋部が前記構造物に拘束される。
【００１７】
本発明による長尺工具用収納袋は、前記収納袋部の開口面側の外周面に沿って第２の面ファスナー体が配設され、該第２の面ファスナー体の表面にはフック面及びループ面が形成されており、前記第１の面ファスナー体を使用しない際には、前記延在部分が前記収納袋部の外周面側に折り畳まれて前記第１の面ファスナー体が前記第２の面ファスナー体と貼り合わされる。
【００１８】
また、本発明の長尺工具用収納袋は、前記収納袋部の前記開口面側には係止部材が設けられ、前記留め具部材は、その両面ともにフック面及びループ面が形成された帯状のテープ体と、該テープ体に設けられ前記係止部材と着脱可能に係合する係合部とを有するようにしてもよい。
【発明の効果】
【００１９】
以上のように、本発明によれば、留め具部材を開口面側に配設し、構造物に長尺工具を吊り上げる際、留め具部材によって収納袋部に収納された長尺工具を束ね、高所で間接活線作業を行う際、留め具部材によって構造物に収納袋部を拘束するようにしたので、吊り上げの際長尺工具が落下する危険性がない。さらに、間接活線作業中において長尺工具を収納袋部から出し入れしても収納袋部が傾くことがなく、その結果、長尺工具が落下することがない。また、一つの留め具部材によって長尺工具を束ねること及び収納袋部の構造物への拘束を行うことができるので、収納袋自体の構造が複雑となることはない。
【００２０】
本発明によれば、留め具部材はその両面ともにフック面及びループ面が形成された帯状のテープ体を備えるので、簡単に留め具部材を構成できるという効果がある。
【００２１】
本発明によれば、留め具部材である第１の面ファスナー体を使用しない際に、第１の面ファスナー体を第２の面ファスナー体と貼り合わせるようにしたので、留め具部材を使用しない際、留め具部材が邪魔になることがない。
【００２２】
また、本発明によれば、収納袋部の開口面側には係止部材を設け、留め具部材が、その両面ともにフック面及びループ面が形成された帯状のテープ体と、該テープ体に設けられ係止部材と着脱可能に係合する係合部とを有するようにしたので、留め具部材を使用しない留め具部材を収納袋部から取り外すことができるという効果がある。
【発明を実施するための最良の形態】
【００２３】
以下、本発明の実施形態による長尺工具用収納袋の一例について図面を参照して説明する。この長尺工具用収納袋（以下単に収納袋と呼ぶ）は、例えば、間接活線工事の際に用いられ、収納袋には、例えば、長尺工具の一つであるホットスティックが収納される。図１を参照して、図示の例において、図９及び図１０に示す例と同一の構成要素については同一の参照番号が付されている。図１（ａ）は収納袋２０をその表側から見た図であり、図１（ｂ）は裏側から見た図である。また、図１（ｃ）は側方から見た図である。なお、図１（ａ）〜（ｃ）において、吊下げベルト１３は省略されている。
【００２４】
収納袋部１１の開口縁辺のうちの一辺側（例えば、吊下げベルト１３（図１には示さず）が装着された一辺側）には、例えば、帆布製の取付片体２１が縫い付けられており、この取付片体２１には帯状の留め具体（留め具部材）２２が縫い付けられている。なお、取付片体２１の一部分は開口縁よりも上方に突出（延在）しており、この延在部分に留め具体２２が縫い付けられ、留め具体２２は図中横方向（取付片体２１の延在部分に交差する方向）に延在している。
【００２５】
留め具体２２は、例えば、面ファスナー体であり（具体的には、所謂マジックテープ（登録商標））、留め具体２２の両面はともにフック面及びループ面を有している。なお、図示はしないが、収納袋部１１の開口縁の外周には、同様にマジックテープが縫い付けられており、このマジックテープの表面はフック面及びループ面を有している。以下留め具体２２を第１のマジックテープと呼び、収納袋部１１に装着されたマジックテープを第２のマジックテープと呼ぶことにする。
【００２６】
図３を参照すると、収納袋２０を使用しない場合には、取付片体２１はその突出した部分が、収納袋部１１の外周面側に折り返されて（折り畳まれ）、第１のマジックテープが第２のマジックテープ上に貼り付けられた状態とされる。つまり、第１のマジックテープ２２は収納袋部１１の開口縁近傍の外周面に巻かれた状態とされる。
【００２７】
続いて、図４を参照すると、収納袋２０を使用する際には、第１のマジックテープ２２が第２のマジックテープから剥がされて、取付片体２１を起立させた状態とする（開口面側から突出した状態とする）。その後、図４に示すように、ホットスティック１２を収納袋部１１に収納する。そして、第１のマジックテープ２２をホットスティック１２の回りに巻回して、ホットスティック１２を第１のマジックテープ２２で束ねる。この際には、第１のマジックテープ２２はその端部同士が貼り付けられることになる。
【００２８】
このようにして、第１のマジックテープ２２によってホットスティック１２を束ねた後、ロープ１４を吊下げベルト１３に引っ掛けて、収納袋２０を吊り上げる。前述のように、ホットスティック１２は第１のマジックテープ２２で束ねられ、しかも第１のマジックテープは、吊下げベルト１３が装着された開口縁の一辺側に固定されているから（縫い付けられているから）、吊り上げの際、ホットスティック１２がばらけて、吊上げベルト１３の反対側に偏ることがなく、この結果、収納袋部１１が傾くことがない。従って、吊り上げの際、ホットスティック１２が落下する危険性がない。
【００２９】
図５を参照すると、電柱１５に収納袋２０を吊り上げた後、前述したように、吊下げベルト１３によって収納袋２０は足場ボルト１６に引っ掛けられる。そして、吊下げベルト１３を足場ボルト１６に引っ掛けた後、第１のマジックテープ２２をホットスティック１２から外し、今度は第１のマジックテープ２２を電柱１５の周面に巻回してその端部同士を貼り合わせる。
【００３０】
このようにして、電柱１５に収納袋２０を吊り上げた後には、第１のマジックテープ２２を電柱１５の外周面に巻回して、その端部同士を貼り合わせるようにしたので、収納袋部１１は電柱１５に拘束されることになって、収納袋部１１がふらつくことがない。そして、間接活線作業中のホットスティック１２の出し入れによってホットスティック１２が偏っても、収納袋部１１は第１のマジックテープ２２によって電柱１５に拘束されているから、収納袋部１１が傾くことはない。つまり、間接活線作業中に収納袋２０からホットスティック１２が落下することはない。
【００３１】
図６及び図７は上述の第１のマジックテープ２２及び第２のマジックテープを、有底の円筒形状収納袋部１７を有する収納袋３０に適用した例であり、図６及び図７において、図１及び図１１に示す例と同一の構成要素については同一の参照番号が付されている。
【００３２】
図６に示す例では、開口縁の外周面の一箇所に取付片体２１が縫い付けられ、この取付片体２１に第１のマジックテープ２２が縫い付けられている。また、開口縁の外周面に沿って第２のマジックテープが装着されている。図示の例においても、第１のマジックテープ２２を使用しない場合には、取付片体２１が、収納袋部１７の外周面側に折り返されて、第１のマジックテープ２２が第２のマジックテープ上に巻かれた状態とされる。
【００３３】
収納袋３０を使用する際には、第１のマジックテープ２２が第２のマジックテープから外され、図７に示すように、収納袋部１７に収納されたクリッパ１８に巻かれてクリッパ１８を束ねる。
【００３４】
なお、図示はしないが、収納袋３０を電柱に吊り上げた後には、図５で説明したように、第１のマジックテープ２２を電柱の外周面に巻回して収納袋部１７を電柱に拘束する。図６及び図７に示す例においても、吊り上げ時及び間接活線作業中ともにクリッパ１８が収納袋部１７から落下することはない。
【００３５】
図８を参照すると、図８は第１のマジックテープ２２を収納袋部１１に取り付ける際の他の例を示す図であり、図８（ａ）は収納袋２０をその表側から見た図であり、図８（ｂ）は裏側から見た図である。また、図８（ｃ）は側方から見た図である。なお、図８（ａ）〜（ｃ）において、吊下げベルト１３は省略されている。
【００３６】
図示の例においては、収納袋部１１には第２のマジックテープは備えられておらず、代わりに、開口縁の一辺側（吊下げベルト１３が装着された一辺側）には所定の図中横方向に所定の間隔をおいて一対のフック係止孔部２５が形成されている（図８（ｃ）参照）。
【００３７】
さらに、第１のマジックテープ２２には、例えば、帆布製の支持片体２３が縫い付けられ、この支持片体２３には横方向に所定の間隔をおいて一対のフック金具２４が装着されている（図１（ａ）及び（ｃ）参照）。従って、第１のマジックテープ２２を使用する場合のみ、フック係止孔部２５にフック金具２４の一端を挿入して、フック金具２４をフック係止孔部２５に係止する。つまり、フック係止孔部２５とフック金具２４とによって第１のマジックテープ２２を収納袋部１１に取り付ける。
【００３８】
そして、図４で説明したようにして、ホットスティック１２を第１のマジックテープ２２で束ねて、収納袋２０を電柱に吊り上げる。間接活線作業中においては、図５で説明したようにして、第１のマジックテープ２２によって収納袋部１１を電柱に拘束する。
【図面の簡単な説明】
【００３９】
【図１】本発明の実施の形態による長尺工具用収納袋の一例を示す図であり、（ａ）は表側から示す図、（ｂ）は裏側から示す図、（ｃ）は側方から示す図である。
【図２】図１に示す長尺工具用収納袋において留め具体を収納した状態を示す斜視図である。
【図３】図１に示す長尺工具用収納袋において留め具体を使用する前の状態を示す斜視図である。
【図４】図１に示す長尺工具用収納袋において留め具体でホットスティックを束ねた状態を示す斜視図である。
【図５】図１に示す長尺工具用収納袋において留め具体で収納袋部を電柱に拘束した状態を示す斜視図である。
【図６】本発明の実施の形態による長尺工具用収納袋において収納袋部が異なる例を示す斜視図である。
【図７】図６に示す長尺工具用収納袋において留め具体でクリッパを束ねた状態を示す斜視図である。
【図８】本発明の実施の形態による長尺工具用収納袋の他の例を示す図であり、（ａ）は表側から示す図、（ｂ）は裏側から示す図、（ｃ）は側方から示す図である。
【図９】従来の長尺工具用収納袋にホットスティックを収納して吊り上げる状態を示す斜視図である。
【図１０】図９に示す長尺工具用収納袋を電柱の足場ボルトに引っ掛けた状態を示す斜視図である。
【図１１】従来の長尺工具用収納袋において収納袋部が異なる例を示す斜視図である。
【符号の説明】
【００４０】
１１，１７  収納袋部
１２  ホットスティック
１３  吊下げベルト
１４  ロープ
１５  電柱
１６  足場ボルト
１８  クリッパ
２０，３０  長尺工具用収納袋
２１  取付片体
２２  留め具体
２３  支持片体
２４  フック金具
２５  係止孔部
【図１】
2008073804.tif 000003
【図２】
2008073804.tif 000004
【図３】
2008073804.tif 000005
【図４】
2008073804.tif 000006
【図５】
2008073804.tif 000007
【図６】
2008073804.tif 000008
【図７】
2008073804.tif 000009
【図８】
2008073804.tif 000010
【図９】
2008073804.tif 000011
【図１０】
2008073804.tif 000012
【図１１】
2008073804.tif 000013